(57)【要約】【課題】品質の低下を招くことなく、帯状フラット回路体の長手方向の向きをその配索面内で変えるように保持する帯状フラット回路体の保持部材と、品質の低下を招くことなく、帯状フラット回路体の長手方向の向きをその配索面内で変えるように配索する帯状フラット回路体の配索構造を提供する。【解決手段】配索面に配索される帯状フラット回路体１を保持する保持部材２において、前記帯状フラット回路体１は、湾曲部１ｂを基点として長手方向に湾曲形状をなしており、前記保持部材２は、前記帯状フラット回路体１を前記湾曲部１ｂの外側端部より内側端部の方が前記配索面から離間するように保持し、帯状フラット回路体１は、前記保持部材２を前記配索面に設置することにより配索される。【選択図】　　　　図１
2004140958.tif 000002
【特許請求の範囲】
【請求項１】
配索面に配索される帯状フラット回路体を保持する保持部材において、前記帯状フラット回路体は、湾曲部を基点として長手方向に湾曲形状をなしており、前記保持部材は、前記配索面に設置され、かつ、前記帯状フラット回路体を前記湾曲部の外側端部より内側端部の方が前記配索面から離間した状態で保持することを特徴とする帯状フラット回路体の保持部材。
【請求項２】
配索面に配索される帯状フラット回路体と、前記配索面に設置され前記帯状フラット回路体を保持する保持部材とからなり、前記帯状フラット回路体は湾曲部を基点として長手方向に湾曲形状をなし、前記湾曲部が前記保持部材により湾曲部の外側端部より内側端部を前記配索面から離間した状態で保持されていることを特徴とする帯状フラット回路体の配索構造。
【請求項３】
配索面に配索される帯状フラット回路体の配索構造において、前記帯状フラット回路体は湾曲部を基点として長手方向に湾曲形状をなすように配索され、前記配索面には前記湾曲部の外側端部より内側端部の方が前記配索面から離間するように保持する凸状ないし凹状の湾曲形状保持部が設けられ、前記湾曲部が前記湾曲形状保持部で保持されていることを特徴とする帯状フラット回路体の配索構造。
【発明の詳細な説明】
【０００１】
【発明の属する技術分野】
本発明は、配索面に配索される帯状フラット回路体を保持して、配索面内でその長手方向の向きを変える帯状フラット回路体の保持部材、および帯状フラット回路体を配索面内でその長手方向の向きを変えるように配索する配索構造に関する。
【０００２】
【従来の技術】
従来、自動車の電気系統の車内配線などには、フレキシブルフラットケーブル（ＦＦＣ）などの帯状でフラットな回路体が多用されている。
ＦＦＣは車内に省スペースで配索することができるなどの様々な長所を有する。また、ＦＦＣは弾性を有して直線形状をしているので、その面内で長手方向の向きを変えて配索する際には、折り目をつけて折り曲げることにより長手方向の向きを変えている（例えば、特許文献１参照。）。
【０００３】
【特許文献１】
特開平５−２０９２９号公報（段落（０００４）、図３）
【０００４】
【発明が解決しようとする課題】
上述のようなＦＦＣの長手方向の向きを変える部分には、以下のような問題があった。即ち、
１）折り目部分で強度が低下し、そこから亀裂が生じるなどして品質が低下する恐れがあった。
２）一旦、折り目をつけて配索すると、折り目部分で品質が低下する恐れがあるので、更めて再配索したり、再利用することは困難であった。このため、誤配索や誤折り曲げ加工を行った場合には、そのＦＦＣを廃棄せざるをえなかった。
３）ＦＦＣは弾性を有しているため、折り曲げにより方向転換の角度を正確に決めるのは容易ではなく、また、複数の折り曲げ箇所が存在する場合には、折り曲げによる方向転換の角度の誤差が累積して、配索作業が困難になることがあった。
【０００５】
本発明の目的は、上記問題に鑑み、ＦＦＣ、フレキシブルプリントサーキット（ＦＰＣ）、リボン電線などの帯状フラット回路体を保持して、品質を低下させることなく、かつ精度よく長手方向の向きを配索面内で変えるように配索面に配索する帯状フラット回路体の保持部材と、帯状フラット回路体を品質を低下させることなく、かつ精度よく長手方向の向きを配索面内で変えるように配索面に配索する帯状フラット回路体の配索構造を提供することである。
【０００６】
【課題を解決するための手段】
本発明は上記目的を達成するためになされたもので、請求項１記載の発明は、配索面に配索される帯状フラット回路体を保持する保持部材において、前記帯状フラット回路体は、湾曲部を基点として長手方向に湾曲形状をなしており、前記保持部材は、前記配索面に設置され、かつ、前記帯状フラット回路体を前記湾曲部の外側端部より内側端部の方が前記配索面から離間した状態で保持することを特徴とするものである。
【０００７】
また、請求項２記載の発明は、配索面に配索される帯状フラット回路体と、前記配索面に設置され前記帯状フラット回路体を保持する保持部材とからなり、前記帯状フラット回路体は湾曲部を基点として長手方向に湾曲形状をなし、前記湾曲部が前記保持部材により湾曲部の外側端部より内側端部を前記配索面から離間した状態で保持されていることを特徴とする帯状フラット回路体の配索構造である。
【０００８】
さらに、請求項３記載の発明は、配索面に配索される帯状フラット回路体の配索構造において、前記帯状フラット回路体は湾曲部を基点として長手方向に湾曲形状をなすように配索され、前記配索面には前記湾曲部の外側端部より内側端部の方が前記配索面から離間するように保持する凸状ないし凹状の湾曲形状保持部が設けられ、前記湾曲部が前記湾曲形状保持部で保持されていることを特徴とするものである。
【０００９】
請求項１に記載の保持部材を用いると、帯状フラット回路体に伸縮歪みを生じることなく、また、折り目のような塑性変形を与えないで、帯状フラット回路体をその長手方向の向きを配索面内で変えるように保持することができるので、長手方向の向きを変えることにより帯状フラット回路体の品質の低下を招くことはない。
【００１０】
また、請求項２および３記載の帯状フラット回路体の配索構造では、帯状フラット回路体に伸縮歪みや折り目のような塑性変形を与えることなく、したがって、品質の低下を招くことなく、帯状フラット回路体を配索面内でその長手方向の向きを変えるように配索することができる。
【００１１】
【発明の実施の形態】
以下、図面に基づいて本発明の実施の形態を詳細に説明する。
図１（ａ）〜（ｅ）はそれぞれ、本発明にかかる帯状フラット回路体の保持部材の一実施形態を示す平面図、正面図，Ａ１　−Ａ１　矢視図、Ａ２　−Ａ２　断面図、Ａ３　−Ａ３　断面図である。
【００１２】
保持部材２は、図１（ａ）に示すように、内側端縁２ａおよび外側端縁２ｂが同心の略円弧状に湾曲しており、内側端縁２ａは、図１（ｂ）に示すように、両端部から中央部にかけて高く盛り上がり、外側端縁２ｂは全体にわたって同一面上に位置している。
内側端縁２ａと外側端縁２ｂの間隔は、保持する帯状フラット回路体１の幅に設定されており、内側端縁２ａと外側端縁２ｂの間は、帯状フラット回路体１を保持する保持面２ｃとなっている。また、内側端縁２ａと外側端縁２ｂには、保持する帯状フラット回路体１の側端部を案内する案内溝３が設けられている。
また、保持面２ｃの反対側の面には、帯状フラット回路体１が配索されるフラット配索面に取付けるための取付け部４（例えばクリップアンカーなど）が設けられている。
【００１３】
帯状フラット回路体１を保持する保持面２ｃは帯状に湾曲し、両端では図１（ｃ）に示すように水平になっており、長手方向の中央部にかけて、図１（ｄ）に示すように、内側端縁２ａから外側端縁２ｂへ下がるように幅方向に傾斜している。そうして、保持面２ｃは長手方向の中央部では、図１（ｅ）に示すように、水平な両端に対して角度δでもっとも傾斜している。
【００１４】
直線状の帯状フラット回路体１は、上記保持部材２の一端部から案内溝３に挿入され、案内溝３に案内されて他端部から引き出されて、保持面２ｃ上に保持される。この状態で、帯状フラット回路体１は保持面２ｃ上で湾曲部１ｂを形成し、前記湾曲部１ｂを基点として長手方向に湾曲形状をなして、そのフラット面内で、図１（ａ）に示すように、長手方向の向きが角度θ（方向転換角度）だけ変わる。
【００１５】
保持面２ｃ上に保持された帯状フラット回路体１の湾曲部１ｂは、保持面２ｃに沿って長手方向に湾曲し、外側端部は保持部材２の外側端縁２ｂに沿って帯状フラット回路体１の湾曲していないフラット部１ａのフラット面上に位置し、内側端部は保持部材２の内側端縁２ａに沿って保持部材２の中央部で前記フラット面からもっとも離間するように保持される。言い換えると、湾曲部１ｂの長手方向の中央部では、図１（ｅ）に示すように、角度δだけよじれた状態になっており、外側端部から内側端部にいくほど前記フラット面から離間し、幅方向に傾斜している。
なお、方向転換角度θを大きくするためには、よじれ角度δを大きくする。
【００１６】
上述のように保持部材２に保持された帯状フラット回路体１の湾曲部１ｂにおいて、内側端部のフラット面への投影長は外側端部の長さよりも短くなるが、内側端部は前記フラット面から離間するように曲がっているため、外側端部と同じ長さに維持することができる。したがって、帯状フラット回路体１の湾曲部１ｂは、保持面２ｃ上で伸縮歪みが加わらないように湾曲させることができる。
【００１７】
帯状フラット回路体１の保持部材２への固定は、接着剤、両面接着テープ、テープ巻き付けなどにより行うことができる。なお、帯状フラット回路体１を保持部材２に非固定の状態にしておくと、帯状フラット回路体１を保持部材２に対して長手方向にスライドさせて、方向転換位置を変更することができ、また、帯状フラット回路体１を取り外して回収することができる。
【００１８】
さらに、図２（ａ）、（ｂ）に示すように、帯状フラット回路体１を保持した保持部材２を取付け部４（図示されず）でフラットな配索面Ｐに設置すると、帯状フラット回路体１に伸縮歪みを加えることなく、帯状フラット回路体１の長手方向の向きを配索面Ｐ上で変えて配索することができる。
【００１９】
図３（ａ）〜（ｃ）はそれぞれ、帯状フラット回路体１を湾曲部１ｂを形成するように保持する湾曲形状保持部５を設けたフラット配索面Ｐの一実施形態の平面図、そのＢ−Ｂ断面図、および正面図である。
【００２０】
図３（ａ）において、フラット配索面Ｐには、湾曲部１ｂによじれを与えるように凸状の湾曲形状保持部５が設けられている。湾曲形状保持部５は、長手方向に湾曲形状をなして、外側端縁５ａはフラット配索面Ｐ上にあり、内側端縁５ｂは長手方向中央部にかけてフラット配索面Ｐから離間するように盛り上がり、幅方向に傾斜する形状をしている。
帯状フラット回路体１を湾曲形状保持部５上に配索すると、帯状フラット回路体１は湾曲形状保持部５の表面形状にしたがって、長手方向に湾曲し、外側端部より内側端部の方がフラット配索面Ｐから離間する湾曲部１ｂが形成される。
【００２１】
なお、凸状の湾曲形状保持部５は上記のように一体でなく、例えば図４（ａ）〜（ｃ）に示すように、複数の小さな凸状部５ｃを湾曲状に分散、配置させたものでもよい。凸状部５ｃは、外側端部がフラット配索面Ｐ上にあり、内側端部がフラット配索面Ｐより高くなり、また、湾曲状の中央に位置するものほど、内側端部がフラット配索面Ｐより高くなるようにする。
【００２２】
また、図５（ａ）〜（ｃ）に示すように、フラット配索面Ｐに凹状の湾曲形状保持部６を設けてもよい。湾曲形状保持部６は、長手方向に湾曲形状をなして、外側端部６ａはフラット配索面Ｐ上にあり、内側端部６ｂは長手方向中央部にかけてフラット配索面Ｐから凹むように離間し、幅方向に傾斜する形状をしている。
【００２３】
上述の実施形態では、帯状フラット回路体１に折り目などの塑性変形や伸縮歪みを加えることなく湾曲部１ｂを形成し、長手方向の向きをそのフラット面内で変えることができるため、長手方向の方向転換部の品質が低下する恐れがなくなる。したがって、帯状フラット回路体１を配索後に更めて再配索したり、再利用することもできる。
また、帯状フラット回路体１を保持部材２や湾曲形状保持部５、６に固定することにより、長手方向の向きを正確に変えることができるので、１本の帯状フラット回路体１に複数の湾曲部１ｂを精度よく形成することができる。
また、保持部材２を用いると、帯状フラット回路体１を案内溝３でスライドさせて、湾曲部１ｂの位置を長手方向に容易に変えることができる。
さらに、フラット配索面Ｐに湾曲形状保持部５、６を設けると、保持部材２を用いることなく、湾曲部１ｂを形成するように帯状フラット回路体１を配索することができる。
【００２４】
なお、上記実施形態は本発明を具体化した例であって、本願発明の技術的範囲を限定するものではない。
例えば、帯状フラット回路体１に複数箇所の湾曲部１ｂを設けてもよく、また、複数箇所の湾曲部１ｂによる帯状フラット回路体１の長手方向の向きの方向転換は、同一方向である必要はない。
また、帯状フラット回路体１の湾曲部１ｂの外側端部は、フラット部１ａと同一平面上に位置する必要はなく、内側端部と同一方向側に前記平面から離間していてもよく、その場合、相対的に内側端部が外側端部よりもさらに離間していればよい。
さらに、湾曲部１ｂのよじれ角度δは鋭角である必要はなく、直角あるいはそれ以上に大きな角度でもよい。
【００２５】
【発明の効果】
以上説明したように、請求項１記載の保持部材を用いると、帯状フラット回路体に伸縮歪みを生じることなく、また、折り目のような塑性変形を与えないで、帯状フラット回路体をその長手方向の向きを配索面内で変えるように保持することができるという優れた効果がある。
また、請求項２および３記載の帯状フラット回路体の配索構造では、帯状フラット回路体に伸縮歪みや折り目のような塑性変形を与えることなく、したがって、品質の低下を招くことなく、帯状フラット回路体を配索面内でその長手方向の向きを変えるように配索することができるという優れた効果がある。
【図面の簡単な説明】
【図１】（ａ）〜（ｅ）はそれぞれ、本発明にかかる帯状フラット回路体の保持部材の一実施形態を示す平面図、正面図，Ａ１　−Ａ１　矢視図、Ａ２　−Ａ２　断面図、Ａ３　−Ａ３　断面図である。
【図２】（ａ）、（ｂ）はそれぞれ、上記保持部材を用いて帯状フラット回路体を配索面に配索した状態の平面図およびそのＡ−Ａ断面図である。
【図３】（ａ）〜（ｃ）はそれぞれ、本発明にかかる帯状フラット回路体の配索構造の一実施形態の平面図、そのＢ−Ｂ断面図、および正面図である。
【図４】（ａ）〜（ｃ）はそれぞれ、本発明にかかる帯状フラット回路体の配索構造の他の実施形態の平面図、そのＣ−Ｃ断面図、および正面図である。
【図５】（ａ）〜（ｃ）はそれぞれ、本発明にかかる帯状フラット回路体の配索構造のさらなる他の実施形態の平面図、そのＤ−Ｄ断面図、および正面図である。
【符号の説明】
１　　　　　　　　　　　　　帯状フラット回路体
１ａ　　　　　　　　　　　　フラット部
１ｂ　　　　　　　　　　　　湾曲部
２　　　　　　　　　　　　　保持部材
２ａ、５ｂ、６ｂ　　　　　　内側端縁
２ｂ、５ａ、６ａ　　　　　　外側端縁
２ｃ　　　　　　　　　　　　保持面
３　　　　　　　　　　　　　案内溝
４　　　　　　　　　　　　　取付け部
５、６　　　　　　　　　　　湾曲形状保持部
５ｃ　　　　　　　　　　　　凸状部
【図１】
2004140958.tif 000003
【図２】
2004140958.tif 000004
【図３】
2004140958.tif 000005
【図４】
2004140958.tif 000006
【図５】
2004140958.tif 000007